(57)【要約】【課題】  この発明は、ブロードキャスト出力させたい録画機器に対して、他のＡＶ機器側からブロードキャスト出力をさせることが可能となるＡＶ機器を提供することを目的とする。【解決手段】  デジタルインタフェースに接続されている録画機器からブロードキャスト出力をさせるための機器をユーザに選択させるための選択画面を表示する第１手段、選択画面上で選択された対象録画機器に対して、電源オンコマンドを発行した後、再生コマンドを発行する第２手段、再生コマンドを発行した後に、対象録画機器がブロードキャスト出力を開始したか否かを判別する第３手段、ならびに第３手段によって、対象録画機器がブロードキャスト出力を開始したと判別した場合には、対象録画機器からのＰＴＳを入力するためのブロードキャスト入力コネクション設定を行なう第４手段を備えている。【選択図】  図１
2006279806.tif 000002
【特許請求の範囲】
【請求項１】
録画機器およびコントローラ機能を有するＡＶ機器を含む複数のＡＶ機器がデジタルインタフェースによって接続されるＡＶシステムに用いられるコントローラ機能を有するＡＶ機器において、
デジタルインタフェースに接続されている録画機器からブロードキャスト出力をさせるための機器をユーザに選択させるための選択画面を表示する第１手段、
選択画面上で選択された対象録画機器に対して、電源オンコマンドを発行した後、再生コマンドを発行する第２手段、
再生コマンドを発行した後に、対象録画機器がブロードキャスト出力を開始したか否かを判別する第３手段、ならびに
第３手段によって、対象録画機器がブロードキャスト出力を開始したと判別した場合には、対象録画機器からのＰＴＳを入力するためのブロードキャスト入力コネクション設定を行なう第４手段、
を備えていることを特徴とするＡＶ機器。
【請求項２】
第３手段によって、対象録画機器がブロードキャスト出力を開始しなかったと判別した場合には、対象録画機器に対して、point-to-pointコネクションを解除するための内部コネクト切換コマンドを発行する第５手段、
第５手段によって内部コネクト切換コマンドを発行した後に、対象録画機器がブロードキャスト出力を開始したか否かを判別する第６手段、ならびに
第６手段によって、対象録画機器がブロードキャスト出力を開始したと判別した場合には、対象録画機器からのＰＴＳを入力するためのブロードキャスト入力コネクション設定を行なう第７手段、
を備えていることを特徴とする請求項１に記載のＡＶ機器。
【請求項３】
第６手段によって、対象録画機器がブロードキャスト出力を開始しなかったと判別した場合には、デジタルインタフェースに接続されている対象録画機器以外のＡＶ機器に対して、point-to-pointコネクションを解除するための内部コネクト切換コマンドを発行する第８手段、
第８手段によって内部コネクト切換コマンドを発行した後に、対象録画機器がブロードキャスト出力を開始したか否かを判別する第９手段、ならびに
第９手段によって、対象録画機器がブロードキャスト出力を開始したと判別した場合には、対象録画機器からのＰＴＳを入力するためのブロードキャスト入力コネクション設定を行なう第１０手段、
を備えていることを特徴とする請求項２に記載のＡＶ機器。
【発明の詳細な説明】
【技術分野】
【０００１】
この発明は、録画機器およびコントローラ機能を有するＡＶ機器を含む複数のＡＶ機器がデジタルインタフェースによって接続されるＡＶシステムに用いられるコントローラ機能を有するＡＶ機器に関する。
【背景技術】
【０００２】
ＡＶ系IEEE1394ネットワークにおいて、例えば、ＤＴＶとＤ−ＶＨＳをIEEE1394ケーブルで接続し、Ｄ−ＶＨＳのテープに録画されたコンテンツをＤＴＶに表示させるためには、それらの機器間で論理的なコネクションを設定する必要がある。
【０００３】
コネクションの設定には、IEEE1394ネットワークに接続されたＡＶ機器に対して論理的な信号接続を行うためのプラグを使用する。コネクションの接続形態には、(1) １つの出力プラグと１つの入力プラグを１つのチャンネルを介して接続するpoint-to-pointコネクションと、(2) １つの出力プラグを１つのチャンネルに接続するbroadcast out コネクションと、１つの入力プラグを１つのチャンネルに接続するbroadcast inコネクションとを組み合わせたbroadcast コネクションとの２種類がある。
【０００４】
チャンネルとは、例えば、TS(Transport Stream)形式やDV(Digital Video) 形式でフォーマットされたストリームなどを転送するための同期パケット( アイソクロナス・パケット) のヘッダ部に含まれるフィールドのひとつであり、同期パケットを識別するために使用する。
【０００５】
機能的には、映像の送信機能であるsource機能、映像の受信機能であるsink機能、source機器の機器制御を行うコントローラ機能に分類される。ＤＴＶをコントローラと見做した場合、接続相手機器であるＤ−ＶＨＳを指定することにより、point-to-pointコネクションの接続が行なわれる。point-to-pointコネクションの接続の方向は、再生時と録画時とで逆方向になる。再生時には、Ｄ−ＶＨＳがsource機能、ＤＴＶがsink機能として働く。一方、録画時は、ＤＴＶがsource機能、Ｄ−ＶＨＳがsink機能として働く。point-to-pointコネクションのコネクション設定の後においては、ＤＴＶ側において、ＤＴＶ側の操作パネルなどにより、再生、停止、早送り、巻き戻しなどの機器操作が行われるとともに、テープ走行状態、テープカウント値などの状態取得が行われる。
【０００６】
一方、ＤＴＶ側でブロードキャスト入力を行う場合には、ＤＴＶ側に対してブロードキャスト入力の指示があると、IEEE1394バス上に接続されたＡＶ機器の中で、ブロードキャスト出力を行っている機器（Ｄ−ＶＨＳ）を探索する。ブロードキャスト出力を行っている機器が見つかれば、ブロードキャストコネクションが設定され、ブロードキャスト出力機器が送出しているコンテンツがＤＴＶに表示される。
【０００７】
point-to-pointコネクション入力に比べてブロードキャスト入力の利点は、接続相手を指定する必要がない点である。複数台のＤ−ＶＨＳと複数台のＤＴＶとが、1394ネットワークを形成しているシステムにおいて、複数台のＤＴＶに、Ｄ−ＶＨＳを切り替えてＤ−ＶＨＳからの映像を出力させたい場合、各ＤＴＶ側をブロードキャスト入力モードにしていると、source機能として働くＤ−ＶＨＳを切り替える毎に、Ｄ−ＶＨＳを指定しなおす必要がなくなる。
【発明の開示】
【発明が解決しようとする課題】
【０００８】
ところで、複数台のＤ−ＶＨＳと複数台のＤＴＶとが、1394ネットワークを形成しているシステムにおいて、例えば、所定のＤ−ＶＨＳからの出力映像を、全てのＤＴＶにブロードキャスト入力させたい場合がある。しかしながら、上記所定のＤ−ＶＨＳがブロードキャスト出力していない場合がある。
【０００９】
このような場合には、上記所定のＤ−ＶＨＳに対してブロードキャスト出力の設定を行なう必要があるが、ＤＴＶ側からは上記所定のＤ−ＶＨＳに対してブロードキャスト出力の設定を行なうことはできなかった。
【００１０】
この発明は、ブロードキャスト出力させたい録画機器に対して、他のＡＶ機器側からブロードキャスト出力をさせることが可能となるＡＶ機器を提供することを目的とする。
【課題を解決するための手段】
【００１１】
請求項１に記載の発明は、録画機器およびコントローラ機能を有するＡＶ機器を含む複数のＡＶ機器がデジタルインタフェースによって接続されるＡＶシステムに用いられるコントローラ機能を有するＡＶ機器において、デジタルインタフェースに接続されている録画機器からブロードキャスト出力をさせるための機器をユーザに選択させるための選択画面を表示する第１手段、選択画面上で選択された対象録画機器に対して、電源オンコマンドを発行した後、再生コマンドを発行する第２手段、再生コマンドを発行した後に、対象録画機器がブロードキャスト出力を開始したか否かを判別する第３手段、ならびに第３手段によって、対象録画機器がブロードキャスト出力を開始したと判別した場合には、対象録画機器からのＰＴＳを入力するためのブロードキャスト入力コネクション設定を行なう第４手段を備えていることを特徴とする。
【００１２】
請求項２に記載の発明は、請求項１に記載の発明において、第３手段によって、対象録画機器がブロードキャスト出力を開始しなかったと判別した場合には、対象録画機器に対して、point-to-pointコネクションを解除するための内部コネクト切換コマンドを発行する第５手段、第５手段によって内部コネクト切換コマンドを発行した後に、対象録画機器がブロードキャスト出力を開始したか否かを判別する第６手段、ならびに第６手段によって、対象録画機器がブロードキャスト出力を開始したと判別した場合には、対象録画機器からのＰＴＳを入力するためのブロードキャスト入力コネクション設定を行なう第７手段を備えていることを特徴とする。
【００１３】
請求項３に記載の発明は、請求項２に記載の発明において、第６手段によって、対象録画機器がブロードキャスト出力を開始しなかったと判別した場合には、デジタルインタフェースに接続されている対象録画機器以外のＡＶ機器に対して、point-to-pointコネクションを解除するための内部コネクト切換コマンドを発行する第８手段、第８手段によって内部コネクト切換コマンドを発行した後に、対象録画機器がブロードキャスト出力を開始したか否かを判別する第９手段、ならびに第９手段によって、対象録画機器がブロードキャスト出力を開始したと判別した場合には、対象録画機器からのＰＴＳを入力するためのブロードキャスト入力コネクション設定を行なう第１０手段を備えていることを特徴とする。
【発明の効果】
【００１４】
この発明によれば、ブロードキャスト出力させたい録画機器に対して、他のＡＶ機器側からブロードキャスト出力をさせることが可能となる。
【発明を実施するための最良の形態】
【００１５】
以下、図面を参照して、この発明の実施例について説明する。
【実施例１】
【００１６】
図１は、ＡＶシステムの構成例を示している。
【００１７】
この例では、複数台のＤＴＶ１および複数台のＤ−ＶＨＳ（録画機器）２が、IEEE1394ケーブル１１を介してディジーチェーン接続されている。ここでは、ＤＴＶ１は、コントローラ機能を備えているものとする。このようなＡＶシステムでは、各ＤＴＶ１側をブロードキャスト入力モードにしていると、ブロードキャスト出力機器としてのＤ−ＶＨＳを切り替えだけで、全てのＤＴＶ１にブロードキャスト出力機器となったＤ−ＶＨＳからの映像が出力される。
【００１８】
ところで、所定のＤ−ＶＨＳ２からの出力映像を、全てのＤＴＶ１にブロードキャスト入力させたい場合がある。しかしながら、上記所定のＤ−ＶＨＳ２がブロードキャスト出力していない場合がある。この実施例では、このような場合に、ＤＴＶ１側の操作に基づいて、上記所定のＤ−ＶＨＳ２にブロードキャスト出力させようとするものである。          
【００１９】
なお、録画機器は、D-VHS の他、DVカメラ、AV-HDD、Blu-Ray Disc Player/Recorder、HD-DVD Player/Recorder等のAV機器であってもよい。
【００２０】
図２は、ＤＴＶ１内の制御部およびIEEE1394関連機器の構成を示している。
【００２１】
制御部は、マイコン２１、ＲＯＭ２２およびＲＡＭ２３を備えている。IEEE1394関連機器は、ＬＩＮＫチップ３１、ＰＨＹチップ３２および1394コネクタ３３を備えている。
【００２２】
ＲＯＭ２２には、IEEE1394プログラムを含むプログラムおよび必要なデータが格納されている。ＲＡＭ２３にはプログラム実行時に必要なデータが一時的に格納される。マイコン２１は、電源が投入されると、ＲＯＭ２２に格納されているプログラムをＲＡＭ２３上に展開し、そのプログラムを実行する。
【００２３】
ＬＩＮＫチップ３１は、IEEE Std1394-1995 で規定されているリンク機能を実装している。ＰＨＹチップ３２は、IEEE Std1394-1995 で規定されている物理層を実装している。ＬＩＮＫチップ３１とＰＨＹチップ３２とを統合してワンチップ化している場合もある。1394コネクタ３３には、IEEE1394ケーブル１１が接続されている。
【００２４】
図３は、ＤＴＶ１に設けられたマイコン２１によるブロードキャストコネクション処理の手順を示している。
【００２５】
以下の説明においては、ブロードキャストをＢＣと略すことにする。なお、ＤＴＶ１のステータスＳには、オンエア番組を放映中である通常モードと、IEEE1394バス上でＢＣ出力しているＡＶ機器が存在すれば、ＡＶ機器を選択することなく、ＢＣ出力している映像をＤＴＶ１側で再生できるＢＣ入力モードとがある。ステータスＳの初期値は、通常モードである。
【００２６】
なお、バスリセット時（電源がオンされたとき、接続が変更されたとき）には、ＤＴＶ１は、IEEE1394のデジタルインタフェースを介して接続されている各ＡＶ機器から、ノードＩＤ、ＧＵＩＤ、メーカ名、機種情報を取得し、取得した情報をテーブルとして保持しているものとする。機種情報には、型名（機種名）等の情報が含まれている。
【００２７】
常時は、ＤＴＶ１は、リモコンイベント（リモコンＥＶＴ）待ちの状態となっている（ステップＳ１）。ＢＣ入力開始イベントが発生した場合には（ステップＳ２でＹＥＳ）、ＢＣ出力を行なっている機器（ブロードキャスト出力機器）を探索し、探索したＢＣ出力機器から出力されているＰＴＳ（Partial Transport Stream) を入力するためのＢＣ入力コネクション設定等を行なうためのＢＣ入力開始処理を実行する（ステップＳ３）。ＢＣ入力開始処理の詳細については後述する。そして、ステータスＳをＢＣ入力モードとした後（ステップＳ４）、オンエア放映画面からＢＣ入力画面に切り換える（ステップＳ５）。そして、ステップＳ１に戻る。なお、ステータスがＢＣ入力モードである場合には、ブロードキャスト出力機器の探索が定期的に行なわれる。
【００２８】
ＢＣ入力停止イベントが発生した場合には（ステップＳ６でＹＥＳ）、ＢＣ出力機器の探索を停止した後（ステップＳ７）、ステータスＳを通常モードとした後（ステップＳ８）、ＢＣ入力画面からオンエア放映画面に切り換える（ステップＳ９）。そして、ステップＳ１に戻る。
【００２９】
ＢＣ入力開始イベントおよびＢＣ入力停止イベント以外のリモコンイベントが発生した場合には、つまり、操作関連イベントが発生した場合には、ステータスＳがＢＣ入力モードであるか否かを判別する（ステップＳ１０）。ステータスＳがＢＣ入力モードでない場合、つまり、通常モードである場合には、ステップＳ１に戻る。
【００３０】
ステータスＳがＢＣ入力モードである場合には、発生した操作関連イベントに応じて次のような処理を行なう。
【００３１】
操作関連イベントが操作パネル表示イベントである場合には（ステップＳ１１でＹＥＳ）、図４に示すような操作パネルをＢＣ入力画面上に表示する（ステップＳ１２）。そして、ステップＳ１に戻る。図４の例では、操作パネルには、電源オンオフボタン４１、巻き戻し再生ボタン４２、再生ボタン４３、早送り再生ボタン４４、一時停止ボタン４５、スキップ巻き戻し再生ボタン４６、停止ボタン４７、スキップ早送り再生ボタン４８、録画ボタン４９等の操作ボタンが表示される。なお、ＢＣ制御機器がＤ−ＶＨＳの場合、情報取得系ＡＶコマンドを発行することによって、「テープカウンタ」、「テープ走行状態」、「メディア情報」を取得して、表示することが可能となっている。
【００３２】
操作関連イベントが操作パネル非表示イベントである場合には（ステップＳ１３でＹＥＳ）、操作パネルをＢＣ入力画面上から消去する（ステップＳ１４）。
【００３３】
ユーザは、IEEE1394バス上にあるＡＶ機器のうち、現在ＢＣ出力を行なっていない所定のＡＶ機器から映像をＢＣ入力したい場合には、再生イベントを発生させる。操作関連イベントが再生イベントである場合には（ステップＳ１５でＹＥＳ）、本願発明の特徴である再生処理を行なう（ステップＳ１６）。再生処理の詳細については後述する。
【００３４】
操作関連イベントが、停止イベント、巻き戻し再生イベント、早送り再生イベント、一時停止イベント、スキップ巻き戻し再生イベント、スキップ早送り再生イベントまたは録画イベントである場合には（ステップＳ１７）、そのイベントに対応した制御コマンドを発行して、制御機器に送る（ステップＳ１８）。そして、ステップＳ１に戻る。
【００３５】
図５は、図３のＢＣ入力開始処理（図３のステップＳ３の処理）の詳細な手順を示している。
【００３６】
ＢＣ入力開始処理においては、まず、ＤＴＶ１はIEEE1394バス上のＢＣ出力を行なっている機器（ＢＣ出力機器）を探索する（ステップＳ２１）。ここでは、全てのＢＣ出力機器を探索する。ＢＣ出力機器の探索は、IEEE1394に接続されている機器の特定オフセットアドレス（ 0X FFFF:F0000904 〜0 X FFFF:F000097C)に割り当てられている出力フラグであるｏＰＣＲ( ｏＰＣＲ[0] 〜ｏＰＣＲ[30]) のｂｃｃ（broadcast connection counter) フラグが立っている（”１”となっている）か否かを調べることにより行われる。
【００３７】
ＢＣ出力機器が発見できた場合には（ステップＳ２２でＹＥＳ）、ＤＴＶ１のモニタ上に、図６に示すようなＢＣ制御機器選択画面を表示する（ステップＳ２３）。ＢＣ制御機器選択画面には、見つかったＢＣ出力機器毎に、チェックボックス、メーカ名、型名が表示されるとともに、不選択用のチェックボックスが表示される。ユーザは、希望するＢＣ出力機器が有る場合には、そのＢＣ出力の機器に対応するチェックボックスにチェックをいれることにより、そのＢＣ出力機器をＢＣ制御機器として選択する。なお、希望するＢＣ出力機器がない場合には、不選択用のチェックボックスにチェックをいれる。
【００３８】
ＢＣ制御機器が選択された場合には（ステップＳ２４でＹＥＳ）、そのＢＣ制御機器からのＰＴＳ（Partial Transport Stream) を入力できるように、ＢＣ入力コネクション設定を行う（ステップＳ２５）。具体的には、入力フラグであるｉＰＣＲのｂｃｃフラグを”１”に設定するとともにｉＰＣＲのｃｈに選択されたＢＣ制御機器がブロードキャスト出力をしているチャンネル番号を設定する。これにより、ＰＴＳの入力が開始される。そして、ＢＣ制御機器選択画面を消去した後（ステップＳ２６）ＢＣ出力機器の探索を継続する（ステップＳ２７）。
【００３９】
上記ステップＳ２４において、ＢＣ出力機器が選択されなかった場合には、ＢＣ制御機器選択画面を消去した後（ステップＳ２６）、ＢＣ出力機器の探索を継続する（ステップＳ２７）。上記ステップＳ２２において、ＢＣ出力機器が見つからなかった場合には、ステップＳ２７に移行し、ＢＣ出力機器の探索を継続する。
【００４０】
図７は、図３の再生処理（図３のステップＳ１６の処理）の詳細な手順を示している。      
【００４１】
再生処理においては、まず、「ＢＣ出力を行なわせたい機器以外のコネクションを切断する可能性がありますが、実行しますか？」という警告メッセージを含む警告画面を表示する（ステップＳ３１）。この警告画面には、「ＹＥＳ」ボタンと「ＮＯ」ボタンも表示される。
【００４２】
ユーザが「ＮＯ」ボタンを押した場合には（ステップＳ３２でＮＯ）、図３のステップＳ１に戻る。ユーザが「ＹＥＳ」ボタンを押した場合には（ステップＳ３２でＹＥＳ）、ＢＣ制御機器からのＰＴＳの入力中（ＢＣ入力中）であるか否かを判別する（ステップＳ３３）。ＢＣ入力中である場合には、当該ＢＣ制御機器に対して停止コマンドを発行した後（ステップＳ３４）、ステップＳ３５に進む。ＢＣ入力中でない場合は、ステップＳ３５に進む。
【００４３】
ステップＳ３５では、IEEE1394バス上にあるＡＶ機器うちからＢＣ出力を行なわせたい機器をユーザに選択させるための図８に示すようなＡＶ機器選択画面を表示する。
【００４４】
ＡＶ機器選択画面には、IEEE1394バス上にあるＡＶ機器毎に、チェックボックス、メーカ名、型名が表示される。ユーザは、ＢＣ出力を行なわせたい機器に対応するチェックボックスにチェックをいれる。ここで表示されるメーカ名、型名は、電源投入時やIEEE1394ケーブルの抜き差しに発生するバスリセットをトリガーイベントとして、ＤＴＶ１が取得する情報である。実際には、IEEE1394バス上に接続されているノードのコンフィグレーション・ロムなどを読み取ることによって、メーカ名、型名を取得することができる。          
【００４５】
ユーザによってＡＶ機器が選択されなかった場合には、図３のステップＳ１に戻る。ユーザによってＡＶ機器（この例では、Ｄ−ＶＨＳ）が選択されると（ステップＳ３６でＹＥＳ）、選択したＡＶ機器に対して電源オンコマンドを発行する（ステップＳ３７）。これにより、選択したＡＶ機器が電源オフ状態であれば、電源オン状態に遷移する。
【００４６】
この後、選択したＡＶ機器に対して再生コマンドを発行する（ステップＳ３８）。これにより、選択したＡＶ機器が再生を開始する。この再生開始と同時に選択したＡＶ機器がＢＣ出力を開始した場合には（ステップＳ３９でＹＥＳ）、そのＡＶ機器からＰＴＳ（Partial Transport Stream) を入力できるように、ＢＣ入力コネクション設定を行う（ステップＳ４０）。そして、ＢＣ出力機器の探索を継続する（ステップＳ４１）。
【００４７】
選択したＡＶ機器に対して再生コマンドを発行しても選択したＡＶ機器がＢＣ出力を開始しない場合は、ステップＳ４２に進む。
【００４８】
選択したＡＶ機器が、再生を開始しても、ＢＣ出力を開始しない理由としては、以下の理由が考えられる。
【００４９】
（ａ）選択したＡＶ機器にＢＣ出力機能が実装されていない。                        （ｂ）選択したＡＶ機器が既に他のＡＶ機器とpoint-to-pointコネクションを張っている。
（ｃ）IEEE1394バス上の他のＡＶ機器どうしが既にコネクションを張っており、帯域が不足している。
【００５０】
IEEE1394の仕様的には、point-to-pointコネクションの実装は必須であるが、ＢＣ出力コネクションに関してはオプション扱いである。上記（ａ）の場合には、選択したＡＶ機器にＢＣ出力をさせることは不可能である。
【００５１】
上記（ｂ）の場合には、選択したＡＶ機器と他のＡＶ機器との間に張られているpoint-to-pointコネクションを切断させることによって、選択したＡＶ機器にＢＣ出力をさせることが可能である。上記（ｃ）の場合にも、自己以外のＡＶ機器間に張られているpoint-to-pointコネクションを切断させることによって、帯域を開放させることが可能となる。
【００５２】
選択したＡＶ機器と他のＡＶ機器との間に張られているpoint-to-pointコネクションを切断させる方法について説明する。
【００５３】
図９は、Ｄ−ＶＨＳ２のＡＶ／Ｃユニットモデル図である。
【００５４】
図９において、１０１は外部入力プラグ、１０２はシリアルバス非同期入力プラグ（iPCR) 、１０３はアンテナである。１０４は外部出力プラグ、１０５はシリアルバス非同期出力プラグ（oPCR) である。
【００５５】
１１１はテープレコーダ／プレーヤサブユニットであり、１１２はチューナサブユニットである。
【００５６】
ＳＷ１は、シリアルバス非同期入力プラグ１０２とチューナサブユニット１１２との間に設けられたスイッチＳＷ１である。
【００５７】
ＳＷ２は、テープレコーダ／プレーヤサブユニット１１１への入力を、外部入力プラグ１０１、シリアルバス非同期入力プラグ１０２またはチューナサブユニット１１２の出力に切り換えるためのスイッチである。
【００５８】
ＳＷ３は、外部出力プラグ１０４およびシリアルバス非同期出力プラグ１０５への入力を、テープレコーダ／プレーヤサブユニット１１１の出力または接点Ｐに切り換えるためのスイッチである。
【００５９】
（１）  図９のＤ−ＶＨＳ２が選択されたＡＶ機器であるとする。選択されたＤ−ＶＨＳ２が他の機器と入力方向のpoint-to-pointコネクションを設定している場合には、スイッチＳＷ２がシリアルバス非同期入力プラグ（iPCR) １０２に接続されている。IEEE1394において直接コネクションを切断するコマンドは存在しないが、コネクトコマンド（内部コネクト切換コマンド）を用いてスイッチＳＷ２を外部入力プラグ１０１若しくはチューナサブユニット１１２に接続させることによって、通常は、Ｄ−ＶＨＳ２は他の機器との間で設定していたコネクションを切断する。コネクションを切断することによって、選択されたＤ−ＶＨＳ２は他の機器からのＴＳ入力を停止する。この時、上記他の機器が重ね張りをしていない場合には、上記他の機器はＴＳ出力を停止するので、使用していた帯域は開放される。
【００６０】
（２）  選択されたＤ−ＶＨＳ２が他の機器と出力方向のpoint-to-pointコネクションを設定している場合において、テープ再生中はスイッチＳＷ３がテープレコーダ／プレーヤサブユニット１１１の出力端子に接続されている。テープ停止中において、スイッチＳＷ３が接点Ｐに、スイッチＳＷ２がチューナサブユニット１１２の出力端子に接続されている場合には、アンテナ１０３から受信した映像が出力される。このように、Ｄ−ＶＨＳ２が他の機器と出力方向のpoint-to-pointコネクションを設定している場合には、Ｄ−ＶＨＳ２に対してＡＶコマンド等を発行しても、Ｄ−ＶＨＳ２からのpoint-to-pointコネクションを切断できない。したがって、選択されたＤ−ＶＨＳ２の通信相手である他の機器の入力コネクションを上記（１）と同様な方法によって切断することが期待できる。
【００６１】
図７に戻って、ステップＳ４２では、選択されたＡＶ機器（Ｄ−ＶＨＳ）に対して、スイッチＳＷ２をシリアルバス非同期入力プラグ（iPCR) １０２以外の箇所（例えば、外部入力プラグ１０１若しくはチューナサブユニット１１２）に接続させるためのコネクトコマンド（内部コネクト切換コマンド）を発行する。上述したように、選択されたＤ−ＶＨＳ２が他の機器と入力方向のpoint-to-pointコネクションを設定している場合には、Ｄ−ＶＨＳ２は他の機器との間で設定していたコネクションを切断する。
【００６２】
そして、選択したＡＶ機器がＢＣ出力を開始したか否かを判別する（ステップＳ４３）。選択したＡＶ機器がＢＣ出力を開始した場合には、そのＡＶ機器からＰＴＳ（Partial Transport Stream) を入力できるように、ＢＣ入力コネクション設定を行う（ステップＳ４０）。そして、ＢＣ出力機器の探索を継続する（ステップＳ４１）。
【００６３】
上記ステップＳ４３において、選択したＡＶ機器がＢＣ出力を開始しなかった場合には、選択したＡＶ機器以外の全てのＡＶ機器に対して、スイッチＳＷ２をシリアルバス非同期入力プラグ（iPCR) １０２以外の箇所（例えば、外部入力プラグ１０１若しくはチューナサブユニット１１２）に接続させるためのコネクトコマンド（内部コネクト切換コマンド）を発行する（ステップＳ４４）。このコマンドの発行により、選択されたＤ−ＶＨＳ２が他の機器と出力方向のpoint-to-pointコネクションを設定している場合にも、このコネクションが切断されるようになる。
【００６４】
そして、選択したＡＶ機器がＢＣ出力を開始したか否かを判別する（ステップＳ４５）。選択したＡＶ機器がＢＣ出力を開始した場合には、そのＡＶ機器からＰＴＳ（Partial Transport Stream) を入力できるように、ＢＣ入力コネクション設定を行う（ステップＳ４０）。そして、ＢＣ出力機器の探索を継続する（ステップＳ４１）。
【００６５】
上記ステップＳ４５において、選択したＡＶ機器がＢＣ出力を開始しなかった場合には、ＢＣ出力できなかった旨を表示した後（ステップＳ４６）、図３のステップＳ１に戻る。
【００６６】
上記実施例では、説明を単純にするため、操作パネル関係のイベント受付はステータスＳがＢＣ入力モードのときのみとしたが、ステータスＳがオンエア番組を放映中である通常モードである場合にも、再生イベントによる上記のような制御を行なえるようにしてもよい。
【図面の簡単な説明】
【００６７】
【図１】ＡＶシステムの構成例を示すブロック図である。
【図２】ＤＴＶ１内の制御部およびIEEE1394関連機器の構成を示すブロック図である。
【図３】ＤＴＶ１に設けられたマイコン２１によるブロードキャストコネクション処理の手順を示すフローチャートである。
【図４】操作パネルの例を示す模式図である。
【図５】図３のＢＣ入力開始処理（図３のステップＳ３の処理）の詳細な手順を示すフローチャートである。
【図６】ＢＣ制御機器選択画面の例を示す模式図である。
【図７】図３の再生処理（図３のステップＳ１６の処理）の詳細な手順を示すフローチャートである。
【図８】ＡＶ機器選択画面の例を示す模式図である。
【図９】Ｄ−ＶＨＳ２のＡＶ／Ｃユニットモデル図である。
【符号の説明】
【００６８】
１  ＤＴＶ
２  Ｄ−ＶＨＳ
２１  マイコン
２２  ＲＯＭ
２３  ＲＡＭ
３１  ＬＩＮＫチップ
３２  ＰＨＹチップ
３３  1394コネクタ
【図１】
2006279806.tif 000003
【図２】
2006279806.tif 000004
【図３】
2006279806.tif 000005
【図４】
2006279806.tif 000006
【図５】
2006279806.tif 000007
【図６】
2006279806.tif 000008
【図７】
2006279806.tif 000009
【図８】
2006279806.tif 000010
【図９】
2006279806.tif 000011